(57)【要約】【課題】印刷物に付与したＩＤ番号に関連付けて印刷コンテンツ・データと書込みデータとを一元的に管理する印刷物管理システムを提供する。【解決手段】印刷物管理システム１は、コンテンツ管理サーバ１０、デジタル複合複写機３０、これらを接続するネットワーク５０等から構成され、デジタル複合複写機は、固有の電子ペーパＩＤを有する印刷物からの画像の読取り及び印刷物上への画像の形成を行い、コンテンツ管理サーバは、印刷コンテンツ・データを基に印刷画像データを生成し、印刷画像データから参照スキャン画像データを生成し、デジタル複合複写機によって電子ペーパから読み取った画像のスキャン画像データから印刷物に書き込まれた書込みデータを分離し、抽出し、書込みデータをベクタ・グラフィックス形式の描画コマンド群からなる書込みコンテンツ・データに変換して、当該書込みコンテンツ・データを電子ペーパＩＤに関連付けて印刷コンテンツ・データに追加する。【選択図】      図１
2004302617.tif 000002
【特許請求の範囲】
【請求項１】
固有の印刷物ＩＤを有する印刷物に記録された印刷コンテンツ・データを管理するコンテンツ管理サーバと、前記印刷物からの画像の読取り及び前記印刷物上への画像の形成を行う複合画像形成装置とをネットワーク上に有し、前記印刷コンテンツ・データを前記印刷物ＩＤに関連付けて管理する印刷物管理システムにおいて、
前記コンテンツ管理サーバは、前記印刷コンテンツ・データを基にして印刷画像データを生成する印刷プロセス画像処理手段と、前記印刷画像データから参照スキャン画像データを生成するスキャン・プロセス画像処理手段と、前記複合画像形成装置が前記印刷物から読み取ったスキャン画像データから前記印刷物に書き込まれた書込みデータを分離し、抽出する書込みデータ抽出手段と、前記書込みデータをベクタ・グラフィックス形式の描画コマンド群からなる書込みコンテンツ・データに変換するベクトル化手段とを備え、前記書込みコンテンツ・データを前記印刷物ＩＤに関連付けて、前記印刷コンテンツ・データに追加することを特徴とする印刷物管理システム。
【発明の詳細な説明】
【０００１】
【発明の属する技術分野】
本発明は印刷物管理システムに関し、さらには、識別情報を保持するＩＣタグが付加された印刷記録媒体等を用いて印刷物、当該印刷物に関連する文書コンテンツ、手書きによる書込み情報等を識別情報と対応付けて管理する技術に関する。
【０００２】
【従来の技術】
近年、オフィスにおいてはパーソナル・コンピュータ上で動作するワード・プロセッサに代表されるような各種文書作成・編集用アプリケーション・プログラムを用いて、多種多様な文書コンテンツが作成されている。
【０００３】
これらの文書コンテンツは、ファイルの形態で電子的に管理・蓄積・配布・授受されたり、あるいは、それらの文書コンテンツを展開・記録した印刷物の形態で物理的に管理・蓄積・配布・授受されている。
【０００４】
文書コンテンツをファイルの形態で管理・蓄積等する場合には、どのような保存フォーマットにするかということが考慮すべき重要な項目のひとつである。
【０００５】
例えば、文書コンテンツを作成・編集したアプリケーション・プログラムに固有のフォーマットのままで文書コンテンツをファイルの形態で保存して、当該文書コンテンツを管理・蓄積する場合を考える。この場合、その文書コンテンツ（ファイル）を受け取った側で追記・修正といった再編集が可能になるという利点がある。しかし、再編集を可能にするためには、受け取った側に当該文書コンテンツ（ファイル）に対応するアプリケーション・プログラムを起動できる環境が整っていなければならない。この環境が整っていない場合には、当該文書コンテンツの再編集は勿論のこと、閲覧や印刷すらできないことになる。
【０００６】
一般的には、文書コンテンツをファイルの形態で受け取ったとしても、受け取った側で当該文書コンテンツに対して追記や修正といった再編集を行なうことはあまり無く、閲覧や印刷を行なうことが殆どであると想定される。このような想定の下では、文書コンテンツは特定のプリンタの機種（環境）に依存しないフォーマットで保存されるべきであるという意見が多い。この意見に応えるフォーマットとして近年広く採用されているものに、アクロバット（米国アドビシステムズ社の登録商標）がある。これは、プリンタの機種に依存しないページ記述コマンド群で構成されたデータ形式のフォーマットで文書コンテンツを保存できるものである。このフォーマットで保存された文書コンテンツ（ファイル）を受け取った側では、プリンタの機種に拘らず文書コンテンツを展開・記録して、印刷物を容易に得ることができる。
【０００７】
一方、文書コンテンツを印刷物の形態で管理する場合には、その文書コンテンツの重要性、機密性に応じて、印刷物を何月何日、誰に渡したのか等の情報まで管理する必要が出てくる。また同時に、印刷物と当該印刷物に記録された文書コンテンツの電子化情報、すなわちファイルとを対応付けて管理することも大変重要なことである。加えて、１つの文書コンテンツから同時に複数部数の印刷物を作成し、それらの印刷物を複数の人に配布する場合には、印刷物１つ１つを個々に管理しなければならない。
【０００８】
印刷物あるいは印刷記録媒体を個々に管理するためには、まずもって正規の印刷物を他の印刷物から区別するために管理対象物に固有の識別情報を設定することが必要不可欠である。印刷物を特定するための識別情報の表現形態としては、印刷時に付与できる簡便さから、文字や記号等の印字情報、バーコードや特殊な画像パターンや電子透かし等の光学的検出情報、磁気インキを用いた磁気情報等が従来から採用されている。これらの中で、現在最も多くの分野で採用されているのはバーコードである。例えば、運輸・流通分野における物品管理においては、極めて広く一般的に用いられている。
【０００９】
また、文書管理方法にバーコードを用いた例には、印刷物それぞれに固有のバーコード（文書識別データ）を付加して、データベース上でバーコードと印刷物の運用（発行、受領、回収、コピー）、管理のための管理情報とを対応させることによって文書の管理・蓄積を行なう方法がある（特許文献１参照）。
【００１０】
また、一般的な印刷用紙の管理ではなく、専用の印刷記録媒体上に記録された有価証券やチケット等の特殊な印刷物を管理することを目的とした印刷物管理方法の例には、印刷記録媒体に記録するコンテンツを管理する装置と、印刷記録媒体それ自体を管理する装置とを分離する方法が提案されている。この方法を実行する印刷物発行管理システムでは、正規の印刷記録媒体であることをバーコードや透かしといった印刷記録媒体に付与された識別情報で確認した上で実際の印刷内容をプリンタに転送する。これにより、印刷の進行状況を監視することができ、印刷物の発行を正確に管理して不正な印刷物が発行されることを未然に防止している（特許文献２参照）。
【００１１】
さらに、印刷物に対する改竄を検出するための技術の例には、専用の情報をバーコード等の識別情報に付加するものがある。例えば、印刷物を作成するにあたって、印刷物に記録された印刷画像データを印刷物の検証装置が読み取って電子情報に変換した後に、ハッシュ関数等を用いてその電子情報を圧縮して依存情報を作成し、バーコード等の印刷形式に変換して印刷物に付加するものがある。この例では、印刷物に記録された印刷画像データを読み取って生成した依存情報と印刷物に付加されているバーコード等から復元した依存情報とを比較し、その比較結果により印刷物の記録内容に対する改竄を検出している（特許文献３参照）。
【００１２】
バーコードそのものを印刷物に付加することは技術的にも容易であり、しかも安価に実現できる。しかし、その一方で、バーコードは物の表面に露出していることが必要であり、また、ある程度の印刷面積が必要なので物の外観に制約を加えることがある。また、汚れると読取りが不可能になったり、情報容量の限界が低かったり、複写によって容易に複製物が作成されたりするなどの制限事項や欠点が多い。バーコード等によって印刷物に依存情報を記録して、印刷物に記録されたコンテンツの改竄の検出を可能にした、特許文献３に記載の先行技術によって作成された印刷物でも、その印刷物を複写機等で複写することにより、容易に複製物が作成できる。
【００１３】
ここで、運輸・流通分野における物品管理の分野に着目すると、近年、従来のバーコードに代わる新たな識別情報の表現手段としてＩＣタグが活発に利用されて来ている。
【００１４】
ここでいうＩＣタグは、所謂無線利用による移動体識別、非接触ＩＣタグを指し、少なくともＩＣタグ１つ１つに固有で唯一無二の識別情報であるＩＤ番号を書換え不可能に記憶している、アンテナが形成されたＩＣチップから構成されている。アンテナがＩＣチップ上に形成されていない場合はそのＩＣチップに接続されている外部アンテナ備えている。ＩＤ番号は、例えば製造時にＩＣチップに書き込むことによって書換え不可能な状態になっている。
【００１５】
また製造後に任意のデータを書き込むことが可能なデータ・エリアをＩＣチップに有するＩＣタグも開発されているが、このようなＩＣタグはＩＤ番号のみを記憶できるＩＣタグに比べると寸法が大きく、また高価である。このため、大量の物品管理に利用され得るＩＣタグとしては、コストの観点からＩＤ番号のみを記憶できるＩＣタグに限られているのが現状である。
【００１６】
このようなＩＤ番号のみを記憶できるＩＣタグの基本動作そのものは極めて単純であり、専用の読出し装置が自身のリーダ・アンテナを介してマイクロ波をＩＣタグに照射すると、ＩＣタグは受信したマイクロ波から動作用電力を生成して、ＩＤ番号を返送する。リーダ・アンテナとＩＣタグとの通信距離はマイクロ波の送出電力にも因るが、数十ｃｍ〜数ｍ程度まである。
【００１７】
このようなＩＣタグは管理対象の物品に何らかの手段で付加され、専用の読出し装置との応答によって取得されるＩＤ番号によって、その個々の物品を識別・特定することが可能である。
【００１８】
ＩＣタグを付加する物品がマイクロ波を透過する物質ならば、ＩＣタグをその物品内部に埋め込んで外見から隠すことができるので、バーコードの場合のように、物品表面にＩＣタグを露出しておく必要が無い。さらに、バーコードよりもデータ記憶容量が大きく、電磁誘導による情報伝達のため物の意匠に制約を加えることがなく、表面の汚れがＩＣタグに記憶されたデータの読出しに影響しない等の多くの利点がある。
【００１９】
ＩＤ番号のみを記憶できるＩＣタグを利用する物品管理システムには、バーコードを識別情報として用いる場合と同様に、予め物品情報とＩＤ番号との対応を管理・蓄積するデータベースが必要不可欠である。
【００２０】
一般的にＩＣタグを構成するＩＣチップ自身は、微小かつ非常に薄い半導体で実現できることから、ＩＣタグを印刷記録媒体である紙に埋め込んだり、あるいは漉き込んだりする装着形態が可能である。このように、ＩＣタグを印刷記録媒体に埋め込んだり、漉き込んだりできるという特徴を生かした先行技術がいくつか開示されている。
【００２１】
例えば、文書コンテンツを印刷記録媒体上に展開・記録するのと並行して、文書コンテンツと同一の電子データをＩＣタグに記録することによって、偽造・追記・削除を防止したり、劣化の無い複写物を得たりすることを目的としているものがある（特許文献４参照）。
【００２２】
但し、特許文献４に記載された技術では、任意のデータを書き込めるデータ・エリアを有するＩＣタグの利用が前提になっている。
【００２３】
また、データ・エリアを有するＩＣタグを付加した印刷記録媒体を利用する印刷物管理システムの例には、印刷物の記録内容に対する改竄を検出する方法がある（特許文献５参照）。
【００２４】
この方法が実行される印刷物管理システムにおける印刷物生成過程では、印刷記録媒体に展開・記録された検証対象の印刷画像データをＩＣタグが出力するＩＤ番号に対応した暗号鍵を用いて暗号化して、その情報を検証情報としてＩＣタグのデータ・エリアに記憶する。一方、改竄の検出過程においては、ＩＣタグから取得した検証情報をこの検証情報に対応した暗号鍵で復号した印刷画像データと印刷物に記録された印刷画像データとを比較し、その比較結果から印刷物の記録内容に対する改竄の有無を検出する、すなわち印刷物の唯一性を検証する。
【００２５】
管理すべき印刷物が有価証券のような特殊なものではなく、一般的な文書コンテンツの印刷物である場合には、印刷物を管理する目的は、その印刷物の配布から廃棄に至るまでのライフ管理、および非権者による複写防止がその主たるものになると考えられる。
【００２６】
さらにハード・ディスク装置の大容量化を背景に、原本となる文書コンテンツに加えて印刷物に展開・記録された印刷画像データあるいはその基になるページ描画コマンド・データによって構成される印刷コンテンツ・データのような情報量が比較的大きいデータをコンテンツ管理サーバ上で管理・蓄積することが比較的安価に実現可能になって来ている。
【００２７】
このような大容量のコンテンツ・サーバを中心とする印刷物管理システムの下では、上述した印刷コンテンツ・データをプリンタによって印刷し、いつでも同一内容かつ同一品質の印刷物を得ることができる。当然のことながら、実際に所望の印刷物をプリンタから出力するためには、最低限、その印刷物に対応する印刷コンテンツ・データを何らかの方法で選択・特定する必要がある。
【００２８】
例えば、印刷時に入力された画像データを所定の形式の再印刷用データとして記憶保存し、再印刷時には選択された再印刷用データに基づいて画像を印刷し、加えて、記憶保存した再印刷用データのサムネイル・リストを必要に応じて出力することにより、操作者が容易に所望の再印刷対象の画像を選択できる画像形成装置が提案されている（特許文献６参照）。
【００２９】
上述したように、大容量のコンテンツ・サーバを中心とする印刷物管理システムの下で作成された印刷物の複製物が再印刷によって容易に得られると、印刷物管理における次なる課題は、入手した印刷物に対して加えられた手書きによる書込み情報をどのように管理するかということになる。
【００３０】
原稿用紙に加えられた手書きによる文字情報を抽出することを目的として減算および２値化による文字抽出方法が提案されている（特許文献７参照）。
【００３１】
【特許文献１】
特開平１０−１９８６８７号公報
【特許文献２】
特開平１１−７８１７６号公報
【特許文献３】
特開平８−２９７７４３号公報
【特許文献４】
特開２０００−２８５２０３号公報
【特許文献５】
特開２００２−９９２０９号公報
【特許文献６】
特開平１１−１８０００５号公報
【特許文献７】
特開平９−１４９２４７号公報
【００３２】
【発明が解決しようとする課題】
しかし、特許文献７に記載の文字抽出方法では、書込み情報が重畳されていない原稿用紙が必要不可欠であり、かつその原稿用紙を一度画像読取り装置で読み取って画像データを予め生成しておく必要があるので煩わしい。
【００３３】
再印刷が可能な上述の印刷物管理システム下で手書きによる書込み情報の抽出を行なうことを想定すると、コンテンツ管理サーバで実際に蓄積・管理されているデータは、印刷物に展開・記録された印刷画像データ、あるいはその基になるページ描画コマンド・データで構成される印刷コンテンツ・データである。従って、少なくとも書込み情報が重畳されていない印刷物を新たに作成することは容易である。しかし、このような印刷コンテンツ・データは、そのままでは書込み情報抽出のための減算に使用できない。この理由はいくつかあるが、最大の理由は、印刷過程における色構成とドット密度とが読取り過程のそれらと異なることである。
【００３４】
具体的には、印刷物に展開・記録された印刷画像データは、そのプリンタに具備されているインクあるいはトナーに対応した、例えば水色、赤紫色、黄色、および黒色といった印刷用の基本色で表現される。また、ドット密度はインクと吐出密度に相当する。一方、画像読取り装置によって得られる画像データは、画像読取り装置が具備するＣＣＤの表面に貼られた色フィルタに対応した、例えば赤色、緑色、および青色といった基本色で表現される。また、ドット密度はＣＣＤの素子密度に相当する。
【００３５】
本発明の目的は、印刷物に付与したＩＤ番号に関連付けて印刷コンテンツ・データと手書きによる書込みデータとを一元的に管理する印刷物管理システムを提供することにある。
【００３６】
さらに、電子化した手書きによる書込み情報を重畳した印刷コンテンツ・データを展開・記録した印刷物を提供することにある。
【００３７】
さらに、再印刷と手書きによる書込み情報の抽出・電子化とを共通のプログラムによって高速に実現することにある。
【００３８】
【課題を解決するための手段】
上記目的を達成するために、請求項１の印刷物管理システムは、固有の印刷物ＩＤを有する印刷物に記録された印刷コンテンツ・データを管理するコンテンツ管理サーバと、前記印刷物からの画像の読取り及び前記印刷物上への画像の形成を行う複合画像形成装置とをネットワーク上に有し、前記印刷コンテンツ・データを前記印刷物ＩＤに関連付けて管理する印刷物管理システムにおいて、前記コンテンツ管理サーバは、前記印刷コンテンツ・データを基にして印刷画像データを生成する印刷プロセス画像処理手段と、前記印刷画像データから参照スキャン画像データを生成するスキャン・プロセス画像処理手段と、前記複合画像形成装置が前記印刷物から読み取ったスキャン画像データから前記印刷物に書き込まれた書込みデータを分離し、抽出する書込みデータ抽出手段と、前記書込みデータをベクタ・グラフィックス形式の描画コマンド群からなる書込みコンテンツ・データに変換するベクトル化手段とを備え、前記書込みコンテンツ・データを前記印刷物ＩＤに関連付けて、前記印刷コンテンツ・データに追加することを特徴とする。
【００３９】
【発明の実施の形態】
以下、本発明の実施の形態に係る印刷物管理システムについて図面を参照しながら詳細に説明する。
【００４０】
印刷物となる印刷記録媒体の１つに、プリンタ用紙と呼ばれる一般的な紙製品がある。プリンタ用紙はその両面あるいは片面に印刷が可能であり、少なくとも１箇所にＩＣタグが漉き込まれ、あるいは付加されている。印刷記録媒体には紙製品の他にもポリエチレン・フィルム等がある。本実施の形態における印刷物は、印刷可能な紙製品あるいはポリエチレン・フィルム等であるが、後述するＩＣタグが付加されているものであれば、これらに限るものではない（以下、ＩＣタグを有する記録媒体を「電子ペーパ」と称す）。
【００４１】
ＩＣタグは、所謂無線利用による移動体識別・非接触ＩＣタグである。ＩＣタグは、ＩＣチップと当該ＩＣチップに接続されたアンテナとから構成されており、ＩＣチップには識別・特定情報であるＩＤ番号が書換え不可能に記録されている。このＩＤ番号は個々のＩＣタグに固有のものである。ＩＣタグには、ＩＣチップにアンテナが一体形成されたものもある。
【００４２】
ＩＤ番号は、例えば製造時にＩＣチップに書き込んで書換え不可能な状態にしてある。このＩＤ番号は、固有であり、識別可能なものであれば、十分な桁数あるいはビット数で表現された数値であっても良いし、あるいは十分な文字数で表現された文字列であっても良い。
【００４３】
電子ペーパのＩＣタグが記憶しているＩＤ番号を以下では電子ペーパＩＤと呼ぶ。本実施の形態においては、便宜上この電子ペーパＩＤを＃３４０８２のごとく５桁の十進数で表す。このような電子ペーパＩＤはＩＣタグから非接触にかつ電子的に読み出すことができる。
【００４４】
ＩＣタグは、１枚の電子ペーパに少なくとも１つ付加されていれば良い。但し、電子ペーパの上下の向き、および表裏を検出するために、複数個のＩＣタグを付加してもよい。
【００４５】
電子ぺーパＩＤを確実に読み出すために、電子ペーパ上でＩＣタグが付加される位置は、印刷時あるいはスキャン時における紙送りの方向に対して直交する方向にある程度の精度で一定の位置にあることが望ましい。但し、一般的なカット紙を印刷用紙として用いるプリンタにおける紙送りの方向は、所謂長手方向およびこれに直交する方向のいずれの方向もあり得るので、上述の直交する２方向のいずれの方向に対しても一定位置にあることが必要である。
【００４６】
しかし、ＩＣタグの位置的なばらつきが全く無い電子ペーパを製造することは困難である。したがって、後述するように、本実施の形態に係る印刷物管理システムを構成するプリンタ、スキャナ装置、および複写機に具備されるＩＣタグの読取り装置は、ＩＣタグの付加位置にある程度の誤差許容範囲を想定して、電磁誘導による確実な情報伝達を実現するために必要な電力の電磁波を送出できることが要求される。
【００４７】
図１は、本発明の実施の形態に係る印刷物管理システムの構成を示すブロック図である。
【００４８】
印刷物管理システム１は、コンテンツ管理サーバ１０、プリンタ２０、デジタル複合複写機３０（複合画像形成装置）、クライアント・コンピュータ４０、およびこれらを接続するネットワーク５０から構成され、電子ペーパ６０（６０ａ，６０ｂ）および７０が印刷物として本システム１上で管理される。
【００４９】
コンテンツ管理サーバ１０は、コンテンツ管理機能、参照スキャン画像データ生成機能、および書込み画像データ抽出機能等を有している。プリンタ２０は電子ペーパ６０（６０ａ，６０ｂ）および７０に印刷を行い、デジタル複合複写機４０は画像読取り機能および電子ペーパーＩＤの読出し機能を有している。
【００５０】
図２は、図１におけるコンテンツ管理サーバ１０の構成を示すブロック図である。
【００５１】
コンテンツ管理サーバ１０は、ネットワーク・インタフェース１００を介してネットワーク５０に接続されている。このコンテンツ管理サーバ１０は、コンテンツ管理プログラム１１０、コンテンツ管理テーブル１２０、プリンタ２０に対応したプリンタ・ドライバ１３０（以下、プリンタ対応ドライバ１３０）、プリンタ２０に対応した印刷プロセス画像処理プログラム１４０（以下、プリンタ対応印刷プロセス画像処理プログラム１４０）、デジタル複合複写機３０に対応したプリンタ・ドライバ１５０（デジタル複合複写機対応プリンタ・ドライバ１５０）、デジタル複合複写機３０に対応した印刷プロセス画像処理プログラム１６０（以下、複写機対応印刷プロセス画像処理プログラム１６０）、デジタル複合複写機３０に対応したスキャン・プロセス画像処理プログラム１７０（以下、複写機対応スキャン・プロセス画像処理プログラム１７０）、書込みデータ抽出プログラム１８０（書込みデータ抽出手段）、ベクトル化プログラム１９０（ベクトル化手段）等を備えている。
【００５２】
コンテンツ管理サーバ１０は、高い演算処理能力と大容量のファイル記憶能力を有する、一般的にサーバ・コンピュータと称されるものである。
【００５３】
コンテンツ管理サーバ１０に備えられたネットワーク・インタフェース１００は、ネットワーク５０を介して、プリンタ２０、デジタル複合複写機３０、クライアント・コンピュータ４０等との間で各種データを送受信する。例えば、プリンタ２０あるいはデジタル複合複写機３０から送信された電子ペーパＩＤ１００６（値＃３４０８２）や電子ペーパＩＤ１０１５（値＃５１９７１）を受信して、コンテンツ管理プログラム１１０へ渡す処理を行なう。加えて、クライアント・コンピュータ４０から送信されて来た印刷コンテンツ・データ１００５を受信して、また、デジタル複合複写機３０から送信されて来たスキャン画像データ１０１２を受信して、コンテンツ管理プログラム１１０へ渡す処理等を行なう。
【００５４】
コンテンツ管理プログラム１１０はコンテンツ管理テーブル１２０の構築を行ない、構築したテーブルの内容に従って電子ペーパ６０（６０ａ，６０ｂ）および７０を管理している。また、コンテンツ管理プログラム１１０は、プリンタ２０が電子ペーパ６０ａを印刷出力するにあたって、プリンタ２０から受信した電子ペーパＩＤ１００６（値＃３４０８２）に関連付けた状態で、クライアント・コンピュータ４０から受信した印刷コンテンツ・データ１００５をコンテンツ管理テーブル１２０上に蓄積する。
【００５５】
また、コンテンツ管理プログラム１１０は、デジタル複合複写機３０が電子ペーパ６０ｂをスキャン入力するにあたって、デジタル複合複写機３０から受信した電子ペーパＩＤ１００６（値＃３４０８２）を基に、コンテンツ管理テーブル１２０から関連付けられた上述の印刷コンテンツ・データ１００５を取り出して、プリンタ対応ドライバ１３０に渡す。これに引き続いて、デジタル複合複写機３０から受信したスキャン画像データ１０１２を書込みデータ抽出プログラム１８０に渡す。さらに、電子ペーパＩＤ１００６（値＃３４０８２）に関連付けた状態で、ベクトル化プログラム１９０が生成した書込みコンテンツ・データ１０１３を印刷コンテンツ・データ１００５に追加してコンテンツ管理テーブル１２０上に蓄積する処理等を行なう。
【００５６】
さらにまた、コンテンツ管理プログラム１１０は、デジタル複合複写機３０が電子ペーパ７０を印刷出力するにあたって、電子ペーパＩＤ１００６（値＃３４０８２）を基にコンテンツ管理テーブル１２０から関連付けられた印刷コンテンツ・データ１００５および書込みコンテンツ・データ１０１３のふたつのコンテンツ・データを取り出し、複写機対応ドライバ１５０に渡す。
【００５７】
これに引き続いて、複写機対応ドライバ１５０が構築した印刷ジョブ１０１４をネットワーク・インタフェース１００、さらにネットワーク５０を介して、デジタル複合複写機３０に送信する。また同時に、デジタル複合複写機３０から受信した電子ペーパＩＤ１０１５（値＃５１９７１）に関連付けた状態で、既に蓄積済みの印刷コンテンツ・データ１００５および書込みコンテンツ・データ１０１３へのリンク情報をコンテンツ管理テーブル１２０上に蓄積する処理等を行なう。
【００５８】
このコンテンツ管理テーブル１２０の内容に従って、電子ペーパ６０（６０ａ，６０ｂ）および電子ペーパ７０が管理される。プリンタ対応ドライバ１３０は、コンテンツ管理プログラム１１０から受け取った印刷コンテンツ・データ１００５を基にして、プリンタ２０に固有のコマンド群からなる印刷ジョブ１００８を構築する。この印刷ジョブ１００８はコンテンツ管理プログラム１１０あるいはプリンタ対応印刷プロセス画像処理プログラム１４０（印刷プロセス画像処理手段）に渡される。印刷ジョブ１００８に含まれる情報は、プリンタ２０が電子ペーパ６０ａを印刷出力するにあたって、クライアント・コンピュータ４０からプリンタ２０に向けて送信される印刷ジョブ１０１４に含まれる情報と同一である。
【００５９】
プリンタ対応印刷プロセス画像処理プログラム１４０は、プリンタ対応ドライバ１３０から受け取った印刷ジョブ１００８を構成するプリンタ２０に固有のコマンドを順次に解釈し、ページ単位の印刷画像データに変換した後、プリンタ２０内の印刷プロセス画像処理部２３０（図３参照）で実際に行なわれる色空間変換、ガンマ補正、解像度変換、減色処理等の各種画像処理と等価の処理を施し、最終的に印刷画像データ１００９を生成する。
【００６０】
この印刷画像データ１００９の内容は、プリンタ２０によって電子ペーパ６０ａ上に印刷される印刷画像データ１００７（図３参照）の内容と同一のものである。従って、この印刷画像データ１００７は、プリンタ２０の印刷部２４０に具備されているインクあるいはトナーに対応した、例えば水色、赤紫色、黄色、および黒色といった印刷用の基本色で表現されている。こうして得られた印刷画像データ１００７は、必要に応じて、デジタル複合複写機３０に対応したスキャン・プロセス画像処理プログラム１７０（スキャン・プロセス画像処理手段）に渡される。
【００６１】
一方、複写機対応ドライバ１５０は、コンテンツ管理プログラム１１０から受け取った印刷コンテンツ・データ１００５および書込みコンテンツ・データ１０１３を基にして、デジタル複合複写機３０に固有のコマンド群からなる印刷ジョブ１０１４を構築する。この印刷ジョブ１０１４は、コンテンツ管理プログラム１１０あるいは複写機対応印刷プロセス画像処理プログラム１６０（印刷プロセス画像処理手段）に渡される。
【００６２】
複写機対応印刷プロセス画像処理プログラム１６０は、受け取った印刷ジョブ１０１４を構成するデジタル複合複写機３０に固有のコマンドを順次に解釈し、ページ単位の印刷画像データに変換した後、デジタル複合複写機３０内の印刷プロセス画像処理部３６０で実際に行なわれる色空間変換、ガンマ補正、解像度変換、減色処理等の各種画像処理と等価の処理を施し、最終的に印刷画像データ１０１０を生成する。
【００６３】
この印刷画像データ１０１０の内容は、デジタル複合複写機３０によって電子ペーパ７０上に印刷される印刷画像データ１０１６の内容と同一である。従って、この印刷画像データ１０１０は、デジタル複合複写機３０の印刷部３７０に具備されているインクあるいはトナーに対応した、例えば水色、赤紫色、黄色、および黒色といった印刷用の基本色で表現されている。こうして得られた印刷画像データ１０１０は、必要に応じて、複写機対応スキャン・プロセス画像処理プログラム１７０に渡される。
【００６４】
複写機対応スキャン・プロセス画像処理プログラム１７０は、印刷プロセス画像処理プログラム１４０，１６０から受け取った印刷画像データ１００９，１０１０に対して、色空間変換、解像度変換に加えてデジタル複合複写機３０内のスキャン・プロセス画像処理部３３０で実際に行なわれるホワイトバランス補正、ダーク補正、ガンマ補正等の各種画像処理と等価の処理を施し、最終的に参照スキャン画像データ１０１１を生成する。
【００６５】
スキャン・プロセス画像処理プログラム１７０で行なわれる色空間変換は、印刷画像データ１００９，１０１０を表現している水色、赤紫色、黄色、および黒色等の印刷用の基本色からデジタル複合複写機３０の画像読取り部３２０が備える不図示のＣＣＤの表面に貼られている色フィルタに対応した、例えば赤色、緑色、および青色等の基本色への色空間変換である。
【００６６】
さらに、スキャン・プロセス画像処理プログラム１７０で行なわれる解像度変換は、印刷画像データ１００９，１０１０を構成する画素サンプル密度からデジタル複合複写機３０の画像読取り部３２０に具備されているＣＣＤ（図示せず）のサンプル密度への解像度変換である。
【００６７】
スキャン・プロセス画像処理プログラム１７０によって生成される参照スキャン画像データ１０１１は、電子ペーパ６０ｂを読み取ることによってデジタル複合複写機３０のスキャン・プロセス画像処理部３３０で生成されるスキャン画像データ１０１２の期待値に相当する。この参照スキャン画像データ１０１１は、書込みデータ抽出プログラム１８０に渡される。
【００６８】
書込みデータ抽出プログラム１８０は、スキャン・プロセス画像処理プログラム１７０から受け取った参照スキャン画像データ１０１１と、コンテンツ管理プログラム１１０から受け取ったスキャン画像データ１０１２との間で比較・演算を行ない、書込みデータ分離・抽出処理を行なう。
【００６９】
上述したように、参照スキャン画像データ１０１１は、スキャン画像データ１０１２の期待値に相当するので、比較・演算によって、手書きによる書込み情報に相当する書込みデータが分離・抽出される。
【００７０】
その後、書込みデータ抽出プログラム１８０によって、上述の分離・抽出された書込みデータは、ベクトル化プログラム１９０に渡される。
【００７１】
ベクトル化プログラム１９０は、書込みデータ抽出プログラム１８０から受け取った書込みデータをベクタ・グラフィックス形式の描画コマンド群で構成される書込みコンテンツ・データ１０１３に変換する。この書込みコンテンツ・データ１０１３は、コンテンツ管理プログラム１１０によって、電子ペーパＩＤ１００６（値＃３４０８２）に関連付けた状態で、印刷コンテンツ・データ１００５に追加する形態をもってコンテンツ管理テーブル１２０上に蓄積される。
【００７２】
電子ペーパ６０，７０には、電波に応答してＩＤ情報すなわち電子ペーパＩＤ＃３４０８２，＃５１９７１を出力するＩＣタグ６１，７１が、上述したようにそれぞれの印刷記録媒体に漉き込まれ、あるいは付加されている。いずれのＩＣタグ６１，７１も、特定の電波を与えると、その電波に応答してそれぞれの電子ペーパＩＤ＃３４０８２，＃５１９７１を返送する機能を有している。
【００７３】
図３は、図１におけるプリンタ２０の構成を示すブロック図である。
【００７４】
プリンタ２０はネットワーク・インタフェース２００、印刷物ＩＣタグ・リーダ２１０、印刷ジョブ・インタプリタ２２０、印刷プロセス画像処理部２３０、印刷部２４０等から構成されている。
【００７５】
プリンタ２０は、このネットワーク・インタフェース２００からネットワーク５０を介して、コンテンツ管理サーバ１０あるいはクライアント・コンピュータ４０との間で各種データの送受信が行なわれる。例えば、電子ペーパＩＤ１００６をコンテンツ管理サーバ１０に送信する。加えて、クライアント・コンピュータ４０から送信された印刷ジョブ１００４を受信して、印刷ジョブ・インタプリタ２２０に渡す等の処理を行なう。
【００７６】
印刷物ＩＣタグ・リーダ２１０は、電子ペーパ６０ａがプリンタ２０の印刷用紙スタッカ（図示せず）から印刷部２４０に供給される途中で、その電子ペーパ６０ａに付加されたＩＣタグ６１に特定の電波を照射することによって、そのＩＣタグ６１から電子ペーパＩＤ１００６（値＃３４０８２）を読み出す。この読み出された電子ペーパＩＤ１００６は、ネットワーク・インタフェース２００、さらにネットワーク５０を介して、コンテンツ管理サーバ１０に送信される。
【００７７】
印刷ジョブ・インタプリタ２２０は、ネットワーク・インタフェース２００を介して印刷ジョブ１００４を受け取り、印刷ジョブ１００４を構成するプリンタ２０に固有のコマンドを順次に解釈して、ページ単位の印刷画像データに変換する。このページ単位の印刷画像データは、画像入出力機器に依存しない一般的な赤色、緑色、および青色の基本色で表現されている。こうして得られたページ単位の印刷画像データは、印刷プロセス画像処理部２３０に渡される。
【００７８】
印刷プロセス画像処理部２３０は、このページ単位の印刷画像データに対して、色空間変換、ガンマ補正、解像度変換、減色処理等の各種画像処理を施し、最終的に電子ペーパ６０ａに印刷される印刷画像データ１００７を生成する。印刷画像データ１００７は、印刷部２４０に具備されているインクあるいはトナーに対応した、例えば水色、赤紫色、黄色、および黒色といった印刷用の基本色で表現されている。印刷部２４０は、印刷プロセス画像処理部２３０が生成した印刷画像データ１００７を、プリンタ２０の印刷用紙スタッカ（図示せず）から供給された電子ペーパ６０ａ上に印刷する。
【００７９】
図４は、図１におけるデジタル複合複写機３０の構成を示すブロック図である。
【００８０】
デジタル複合複写機３０は、ネットワーク・インタフェース３００、原稿ＩＣタグ・リーダ３１０、画像読取り部３２０、スキャン・プロセス画像処理部３３０、印刷物ＩＣタグ・リーダ３４０、印刷ジョブ・インタプリタ３５０、印刷プロセス画像処理部３６０、印刷用紙スタッカから印刷部３７０等から構成されている。
【００８１】
デジタル複合複写機３０は、ネットワーク・インタフェース３００からネットワーク５０を介して、コンテンツ管理サーバ１０あるいはクライアント・コンピュータ４０との間で各種データの送受信を行う。例えば、電子ペーパＩＤ１００６，１０１５、スキャン画像データ１０１２をコンテンツ管理サーバ１０に送信する。また、コンテンツ管理サーバ１０から送信されて来た印刷ジョブ１０１４を受信して、印刷ジョブ・インタプリタ３５０に渡す処理等を行なう。
【００８２】
原稿ＩＣタグ・リーダ３１０は、電子ペーパ６０ｂがデジタル複合複写機３０の原稿フィーダ（図示せず）から画像読取り部３２０に供給される途中で、その電子ペーパ６０ｂに付加されたＩＣタグ６１に特定の電波を照射することによって、そのＩＣタグ６１から電子ペーパＩＤ１００６（値＃３４０８２）を読み出す。この読み出された電子ペーパＩＤ１００６は、ネットワーク・インタフェース３００、さらにネットワーク５０を介して、コンテンツ管理サーバ１０に送信される。
【００８３】
画像読取り部３２０は、デジタル複合複写機３０の原稿フィーダから供給された電子ペーパ６０ｂ上に印刷されている印刷画像データおよび手書きによる書込み情報を光学的にスキャンして読み取り、読み取ったスキャン画像データをスキャン・プロセス画像処理部３３０に渡す。スキャン・プロセス画像処理部３３０は、受け取ったスキャン画像データに対して、ホワイトバランス補正、ダーク補正、ガンマ補正等の各種画像処理を施し、最終的にスキャン画像データ１０１２を生成する。このスキャン画像データ１０１２は、画像読取り部３２０のＣＣＤ（図示せず）の表面に貼られた色フィルタに対応する、例えば赤色、緑色、および青色の基本色で表現されている。
【００８４】
印刷物ＩＣタグ・リーダ３４０は、電子ペーパ７０がデジタル複合複写機３０の印刷用紙スタッカ（図示せず）から印刷部３７０に供給される途中で、その電子ペーパ７０に付加されたＩＣタグ７１に特定の電波を照射することによって、そのＩＣタグ７１から電子ペーパＩＤ１０１５（値＃５１９７１）を読み出す。この読み出された電子ペーパＩＤ１０１５は、ネットワーク・インタフェース３００、さらにネットワーク５０を介して、コンテンツ管理サーバ１０に送信される。
【００８５】
印刷ジョブ・インタプリタ３５０は、ネットワーク・インタフェース３００を介して受け取った印刷ジョブ１０１４を構成するデジタル複合複写機３０固有のコマンドを順次に解釈し、ページ単位の印刷画像データに変換する。このページ単位の印刷画像データは、画像入出力機器に依存しない一般的な赤色、緑色、および青色といった基本色で表現されている。こうして得られたページ単位の印刷画像データは、印刷プロセス画像処理部３６０に渡される。
【００８６】
印刷プロセス画像処理部３６０は、受け取ったページ単位の印刷画像データに対して、色空間変換、ガンマ補正、解像度変換、減色処理等の各種画像処理を施して、最終的に電子ペーパ７０に印刷される印刷画像データ１０１６を生成する。この印刷画像データ１０１６は、印刷部３７０に具備されているインクあるいはトナーに対応した、例えば水色、赤紫色、黄色、および黒色といった印刷用の基本色で表現されている。印刷部３７０は、印刷プロセス画像処理部３６０が生成した印刷画像データ１０１６を、デジタル複合複写機３０の印刷用紙スタッカから供給された電子ペーパ７０上に印刷する。
【００８７】
図５は、図１におけるクライアント・コンピュータ４０の構成を示すブロック図である。
【００８８】
クライアント・コンピュータ４０は、ネットワーク・インタフェース４００、アプリケーション・プログラム４１０、描画カーネル・モジュール４２０、プリンタ対応ドライバ４３０、スプーラ４４０等から構成されている。
【００８９】
クライアント・コンピュータ４０上では、各種文書作成・編集用のアプリケーション・プログラム４１０が動作する。このアプリケーション・プログラム４１０によって、原本となる文書コンテンツ・データ１００１が作成される。
【００９０】
この文書コンテンツ・データ１００１は、これを作成したアプリケーション・プログラム４１０に固有のフォーマットで保存されたファイルの形態で、当該クライアント・コンピュータ４０のハード・ディスク装置（図示せず）、あるいは当該クライアント・コンピュータ４０とネットワーク５０を介して接続されているファイル・サーバ等のファイル記憶装置（図示せず）内に蓄積されている。クライアント・コンピュータ４０上では、アプリケーション・プログラム４１０の他にも、オペレーティング・システムの一部であるいくつかのプログラムが動作する。
【００９１】
描画カーネル・モジュール４２０は、上述のオペレーティング・システムを構成するいくつかのカーネル・モジュールのうちの１つであり、ディスプレイおよびプリンタへのグラフィックス描画サービスをアプリケーション・プログラム４１０に対して提供している。
【００９２】
この描画カーネル・モジュール４２０は、アプリケーション・プログラム４１０から印刷用のページ描画データ１００２を受け取ると、一旦それらをプリンタの機種に依存しないページ記述コマンド群に変換する。その後、アプリケーション・プログラム４１０から別途指定されたプリンタ２０に対応するプリンタ・ドライバ４３０（以下、プリンタ対応ドライバ４３０）を用いて、ページ記述コマンド群を構成する個々のコマンドをプリンタ２０に固有のコマンドにそれぞれ置換する。こうして得られたプリンタ固有のコマンド群は印刷ジョブ１００４として、スプーラ４４０に順次に蓄積される。
【００９３】
クライアント・コンピュータ４０には、プリンタ対応ドライバ４３０が組み込まれている。このプリンタ対応ドライバ４３０は、印刷プロパティ・データ１００３の構築、プリンタの機種に依存しないページ記述コマンド群からプリンタ２０に固有のコマンド群への変換、加えて、印刷コンテンツ・データ１００５の構築およびコンテンツ管理サーバ１０への転送、といった動作を行なうプログラムである。
【００９４】
印刷プロパティ・データ１００３は、プリンタ２０上で行なわれる印刷処理に係わる各種印刷設定情報の集合体である。各種印刷設定情報には、例えば、カラーあるいは白黒のいずれで印刷するのか、片面あるいは両面のいずれで印刷するのか、印刷用紙一面あたりに何ページ分の文書コンテンツ・データを同時に印刷するのか、印刷濃度、拡大・縮小率等の設定情報が含まれている。
【００９５】
印刷プロパティ・データ１００３は、印刷指示を発行するのに先んじて、アプリケーション・プログラム４１０の操作者がプリンタ対応ドライバ４３０の一部である印刷プロパティ設定ＧＵＩを通じて設定する各種印刷設定情報を基にして、プリンタ対応ドライバ４３０によって構築される。アプリケーション・プログラム４１０の操作者によって印刷指示が発行されると、プリンタ対応ドライバ４３０は、描画カーネル・モジュール４２０から受け取った、プリンタの機種に依存しないページ記述コマンド群の個々のコマンドを、印刷プロパティ・データ１００３に基づいて、プリンタ２０に固有のコマンドにそれぞれ置換した後、描画カーネル・モジュール４２０に送り返す。
【００９６】
これと同時に、プリンタ対応ドライバ４３０は、プリンタの機種に依存しないページ記述コマンド群および印刷プロパティ・データ１００３から構成される印刷コンテンツ・データ１００５を構築し、この構築した印刷コンテンツ・データ１００５をネットワーク・インタフェース４００、さらにネットワーク５０を介して、印刷コンテンツを管理・蓄積するコンテンツ管理サーバ１０に送信する。
【００９７】
スプーラ４４０は、描画カーネル・モジュール４２０によって構築された印刷ジョブ１００４を蓄積する一時的な記憶手段である。スプーラ４４０から読み出された印刷ジョブ１００４は、ネットワーク・インタフェース４００、さらにネットワーク５０を介して、プリンタ２０に送信される。ネットワーク・インタフェース４００は、ネットワーク５０を介して、コンテンツ管理サーバ１０あるいはプリンタ２０との間で各種データを送受信するものである。例えば、スプーラ４４０から読み出された印刷ジョブ１００４のプリンタ２０への送信を行なう。加えて、プリンタ対応ドライバ４３０によって構築された印刷コンテンツ・データ１００５のコンテンツ管理サーバ１０への送信を行なう。
【００９８】
次に、本発明を適用した印刷物管理システム１において、プリンタ２０から印刷物である電子ペーパ６０ａが出力され、コンテンツ管理サーバ１０上で電子ペーパ６０ａに関連するコンテンツ・データが管理・蓄積される過程を主として図６を用いて説明する。
【００９９】
図６は、図１における電子ペーパ６０ａの印刷出力過程を表わすフローチャートである。
【０１００】
印刷物としてプリンタ２０から出力される電子ペーパ６０ａには、電子ペーパＩＤ１００６（値＃３４０８２）を記録したＩＣタグ６１が付加されており、この電子ペーパ６０ａは予めプリンタ２０の印刷用紙スタッカに収納されているものとする。
【０１０１】
また、電子ペーパ６０ａに展開・印刷される印刷画像データ１００７（図３参照）の基になる原本としての文書コンテンツ・データ１００１（図５参照）は、クライアント・コンピュータ４０上で動作するアプリケーション・プログラム４１０によって作成されたものとする。
【０１０２】
先ず、クライアント・コンピュータ４０の操作者によって、プリンタ２０が選択され、そのプリンタ２０上で行なわれる印刷処理に係わる各種印刷設定情報がプリンタ対応ドライバ４３０（図５参照）の一部である印刷プロパティ設定ＧＵＩを通じて設定される（ステップＳ１）。プリンタ対応ドライバ４３０は、これら設定された印刷設定情報を基に印刷プロパティ・データ１００３を構築する。
【０１０３】
クライアント・コンピュータ４０の操作者が、アプリケーション・プログラム４１０を用いて、文書コンテンツ・データ１００１のプリンタ２０による印刷指示を発行すると（ステップＳ２）、実際の電子ペーパ６０ａの印刷出力に係わる一連の動作が開始する。
【０１０４】
次に、文書コンテンツ・データ１００１に対応するアプリケーション・プログラム４１０は、文書コンテンツ・データ１００１を基に印刷用のページ描画データ１００２を構築し、それをオペレーティング・システムを構成するカーネル・モジュールの１つである描画カーネル・モジュール４２０に渡す。
【０１０５】
描画カーネル・モジュール４２０は、アプリケーション・プログラム４１０から受け取った印刷用のページ描画データ１００２を、一旦プリンタの機種に依存しないページ記述コマンド群に変換した後、アプリケーション・プログラム４１０から別途選択されたプリンタ対応ドライバ４３０を用いて、ページ記述コマンド群を構成する個々のコマンドをプリンタ２０に固有のコマンドにそれぞれ置換する。このようにして得られたプリンタ固有のコマンド群を印刷ジョブ１００４として、スプーラ４４０に順次に蓄積する。
【０１０６】
スプーラ４４０内に一時的に蓄積された印刷ジョブ１００４は、再びスプーラ４４０から読み出され、ネットワーク・インタフェース４００、さらにネットワーク５０を介して、実際に印刷物である電子ペーパ６０ａを出力するプリンタ２０に送信される（ステップＳ３）。
【０１０７】
プリンタ対応ドライバ４３０は、印刷プロパティ・データ１００３に基づいて上述のごとく、プリンタ２０に固有のコマンドへの置換を行なうと同時に、描画カーネル・モジュール４２０から受け取ったプリンタの機種に依存しないページ記述コマンド群および印刷プロパティ・データ１００３から構成される印刷コンテンツ・データ１００５を構築し、それをネットワーク・インタフェース４００、さらにネットワーク５０を介して、印刷コンテンツを管理・蓄積するコンテンツ管理サーバ１０に送信する（ステップＳ４）。
【０１０８】
ネットワーク５０を通じてプリンタ２０に送信された印刷ジョブ１００４は、プリンタ２０のネットワーク・インタフェース２００を介して、印刷ジョブ・インタプリタ２２０に渡され、そこで印刷ジョブ１００４を構成するプリンタ２０固有のコマンドが順次に解釈され、画像入出力機器に依存しない一般的な赤色、緑色、および青色といった基本色で表現されている、ページ単位の印刷画像データに変換される。こうして得られたページ単位の印刷画像データは、印刷プロセス画像処理部２３０に渡される。
【０１０９】
印刷ジョブ・インタプリタ２２０によって変換されたページ単位の印刷画像データは、印刷プロセス画像処理部２３０によって色空間変換、ガンマ補正、解像度変換、減色処理等の各種画像処理を施され、最終的に電子ペーパ６０ａに印刷される印刷画像データ１００７が生成される。この印刷画像データ１００７は、印刷部２４０に具備されているインクあるいはトナーに対応した、例えば水色、赤紫色、黄色、および黒色といった印刷用の基本色で表現されている。
【０１１０】
クライアント・コンピュータ４０から送られてきた印刷ジョブ１００４を基に印刷画像データ１００７が生成されるのと並行して、プリンタ２０では、電子ペーパ６０ａがプリンタ２０の印刷用紙スタッカから印刷部２４０に供給される。その途中で、電子ペーパ６０ａに付加されたＩＣタグ６１には、印刷物ＩＣタグ・リーダ２１０によって特定の電波が照射され、そのＩＣタグ６１から電子ペーパＩＤ１００６（値＃３４０８２）が読み出される。この読み出された電子ペーパＩＤ１００６は、ネットワーク・インタフェース２００、さらにネットワーク５０を介して、コンテンツ管理サーバ１０に送信される（ステップＳ５）。
【０１１１】
電子ペーパ６０ａが印刷用紙スタッカから印刷部２４０に供給されると、印刷プロセス画像処理部２３０によって生成された印刷画像データ１００７は、印刷部２４０に渡され、そこで電子ペーパ６０ａ上に印刷される（ステップＳ６）。
【０１１２】
一方、コンテンツ管理サーバ１０には、ネットワーク５０を通じて、クライアント・コンピュータ４０から印刷コンテンツ・データ１００５が届けられ（ステップＳ４）、さらにプリンタ２０からは電子ペーパＩＤ１００６（値＃３４０８２）が届けられる（ステップＳ５）。
【０１１３】
印刷コンテンツ・データ１００５および電子ペーパＩＤ１００６（値＃３４０８２）は、ネットワーク・インタフェース１００を介して、コンテンツ管理プログラム１１０に渡され、そこでコンテンツ管理テーブル１２０を用いて電子ペーパ６０ａに係わる情報が管理・蓄積される。
【０１１４】
具体的には図７に示す。図７は、電子ペーパ６０ａの印刷出力後のコンテンツ管理テーブル１２０の内容を表わす図である。
【０１１５】
コンテンツ管理プログラム１１０に渡された電子ペーパＩＤ１００６（値＃３４０８２）を基に、コンテンツ管理テーブル１２０上では、この電子ペーパＩＤ１００６（値＃３４０８２）に対する新しいレコード、さらに印刷コンテンツ・データ１００５に対する新しいレコードが作成される。この印刷コンテンツ・データ１００５に対して作成された新しいレコードには、コンテンツＩＤ（値＃００１８）が便宜的に付与される。
【０１１６】
電子ペーパＩＤ１００６（値＃３４０８２）に対する新しいレコードには、関連コンテンツ数として値１、第１コンテンツＩＤとして値＃００１８がそれぞれ初期値として設定される。このことは、電子ペーパＩＤ１００６（値＃３４０８２）が付加された電子ペーパ６０ａには、印刷コンテンツ・データ１００５が印刷されていることを意味する。
【０１１７】
続いて、デジタル複合複写機３０によって電子ペーパ６０ｂが光学的に読み取られ、コンテンツ管理サーバ１０上で電子ペーパ６０ｂに関連するコンテンツ・データが管理・蓄積され、さらに、デジタル複合複写機３０から電子ペーパ７０が出力され、コンテンツ管理サーバ１０上で電子ペーパ７０に関連するコンテンツ・データが管理・蓄積される過程を主として図８を参照しながら説明する。
【０１１８】
図８は、図１における電子ペーパ６０ｂのスキャン入力および電子ペーパ７０の印刷出力過程を表わすフローチャートである。
【０１１９】
まず、プリンタ２０から出力された電子ペーパ６０ａに対して手書きによる書込み情報が加えられており、これを電子ペーパ６０ｂとする。この電子ペーパ６０ｂはデジタル複合複写機３０の原稿フィーダ（図示せず）に乗せられている（ステップＳ１１）。
【０１２０】
また、デジタル複合複写機３０から出力される電子ペーパ７０には、電子ペーパＩＤ１０１５（値＃５１９７１）が記録されたＩＣタグ７１が付加されており、デジタル複合複写機３０の印刷用紙スタッカ（図示せず）に予め収納されている。
【０１２１】
電子ペーパ６０ｂの読取りおよび電子ペーパ７０の印刷出力に係わる一連の動作は、デジタル複合複写機３０の操作者が、デジタル複合複写機３０による電子ペーパ６０ｂの複写指示を発行すること（ステップＳ１２）から開始される。この複写指示が発行されると、デジタル複合複写機３０では、電子ペーパ６０ｂがデジタル複合複写機３０の原稿フィーダ（図示せず）から画像読取り部３２０に供給される。その途中で、電子ペーパ６０ｂに付加されたＩＣタグ６１には、原稿ＩＣタグ・リーダ３１０によって特定の電波が照射され、そのＩＣタグ６１から電子ペーパＩＤ１００６（値＃３４０８２）が読み出される。この読み出された電子ペーパＩＤ１００６は、ネットワーク・インタフェース３００、さらにネットワーク５０を介して、コンテンツ管理サーバ１０に送信される（ステップＳ１３）。
【０１２２】
続いて、画像読取り部３２０によって、電子ペーパ６０ｂ上に印刷されている印刷画像データおよび手書きによる書込み情報が光学的スキャンされて読み取られる。読み取られたスキャン画像データはスキャン・プロセス画像処理部３３０に渡される。
【０１２３】
画像読取り部３２０から渡されたスキャン画像データに対して、スキャン・プロセス画像処理部３３０において、ホワイトバランス補正、ダーク補正、ガンマ補正等の各種画像処理が施され、最終的にスキャン画像データ１０１２が生成されて、ネットワーク・インタフェース３００、さらにネットワーク５０を介して、コンテンツ管理サーバ１０に送信される（ステップＳ１４）。
【０１２４】
スキャン・プロセス画像処理部３３０によって生成されるスキャン画像データ１０１２は、画像読取り部３２０のＣＣＤ（図示せず）の表面に貼られている色フィルタに対応した、例えば赤色、緑色、および青色といった基本色で表現されている。
【０１２５】
コンテンツ管理サーバ１０に送信された電子ペーパＩＤ１００６（値＃３４０８２）およびスキャン画像データ１０１２は、いずれもネットワーク・インタフェース１００を介して、コンテンツ管理プログラム１１０に渡される。
【０１２６】
コンテンツ管理プログラム１１０では、デジタル複合複写機３０から受信した電子ペーパ６０ｂの電子ペーパＩＤ１００６（値＃３４０８２）を基に、コンテンツ管理テーブル１２０から関連付けられた印刷コンテンツ・データ１００５が取り出され、プリンタ対応ドライバ１３０に渡される。これと並行して、デジタル複合複写機３０から受信したスキャン画像データ１０１２は、書込みデータ抽出プログラム１８０に渡される。
【０１２７】
プリンタ対応ドライバ１３０では、印刷コンテンツ・データ１００５を基にして、プリンタ２０に固有のコマンド群からなる印刷ジョブ１００８が構築され、プリンタ対応印刷プロセス画像処理プログラム１４０に渡される。プリンタ対応印刷プロセス画像処理プログラム１４０は、プリンタ２０固有のコマンドを順次に解釈し、ページ単位の印刷画像データに変換した後、プリンタ２０内の印刷プロセス画像処理部２３０で行なわれる色空間変換、ガンマ補正、解像度変換、減色処理等の各種画像処理と等価の処理を施して、最終的に印刷画像データ１００９を生成する。
【０１２８】
生成された印刷画像データ１００９の内容は、プリンタ２０によって電子ペーパ６０ａ上に印刷された印刷画像データ１００７の内容と同一のものである。従って、この印刷画像データ１００９は、プリンタ２０の印刷部２５０に具備されているインクあるいはトナーに対応した、例えば水色、赤紫色、黄色、および黒色といった印刷用の基本色で表現されている。こうして得られた印刷画像データ１００９は、デジタル複合複写機３０対応スキャン・プロセス画像処理プログラム１７０に渡される。
【０１２９】
複写機対応スキャン・プロセス画像処理プログラム１７０は、印刷画像データ１００９に対して色空間変換、解像度変換を行うとともに、デジタル複合複写機３０内のスキャン・プロセス画像処理部３３０が行うホワイトバランス補正、ダーク補正、ガンマ補正等の各種画像処理と等価の処理を印刷画像データ１００９に施して、最終的に参照スキャン画像データ１０１１を生成する。色空間変換とは、印刷画像データ１００９を表現している水色、赤紫色、黄色、および黒色といった印刷用の基本色からデジタル複合複写機３０の画像読取り部３２０が具備するＣＣＤの表面に貼られた色フィルタに対応した、例えば赤色、緑色、および青色といった基本色への色空間変換である。また、解像度変換とは、印刷画像データ１００９を構成する画素サンプル密度から画像読取り部３２０が具備するＣＣＤのサンプル密度への解像度変換である。
【０１３０】
生成された参照スキャン画像データ１０１１は、電子ペーパ６０ｂを読み取ることによってデジタル複合複写機３０のスキャン・プロセス画像処理部３３０で生成されるスキャン画像データ１０１２の期待値に相当する。この参照スキャン画像データ１０１１は、書込みデータ抽出プログラム１８０に渡される。
【０１３１】
書込みデータ抽出プログラム１８０では、受け取った参照スキャン画像データ１０１１と、コンテンツ管理プログラム１１０から受け取ったスキャン画像データ１０１２との間で比較・演算が行なわれ、書込みデータが分離・抽出される。こうして分離・抽出された書込みデータは、ベクトル化プログラム１９０に渡される。
【０１３２】
ベクトル化プログラム１９０は、受け取った書込みデータをベクタ・グラフィックス形式の描画コマンド群で構成される書込みコンテンツ・データ１０１３に変換する。このコンテンツ・データ１０１３は、コンテンツ管理プログラム１１０によって、電子ペーパＩＤ１００６（値＃３４０８２）に関連付けた状態で、印刷コンテンツ・データ１００５に追加する形態でコンテンツ管理テーブル１２０上に蓄積される。
【０１３３】
具体的には、図９に示す。図９は、電子ペーパ６０ｂのスキャン入力後のコンテンツ管理テーブル１２０の内容を表わす図である。
【０１３４】
コンテンツ管理テーブル１２０上には書込みコンテンツ・データに対する新しいレコードが作成される。この新しいレコードには、コンテンツＩＤ（値＃００４３）が便宜的に付与される。また同時に、電子ペーパＩＤ１００６（値＃３４０８２）に対するレコードを構成する関連コンテンツ数が値２に更新され、第２コンテンツＩＤとして値＃００４３が設定される。このことは、電子ペーパＩＤ１００６（値＃３４０８２）が付加された電子ペーパ６０ｂには、印刷コンテンツ・データ１００５が印刷され、さらに手書きの書込みコンテンツ・データ１０１３が加えられていることを意味する。
【０１３５】
この後、コンテンツ管理プログラム１１０により、電子ペーパＩＤ１００６（値＃３４０８２）を基にしてコンテンツ管理テーブル１２０から既に関連付けられて管理・蓄積されている印刷コンテンツ・データ１００５および新たに関連付けられて管理・蓄積されたばかりの書込みコンテンツ・データ１０１３の２つのコンテンツ・データが取り出され、デジタル複合複写機対応プリンタ・ドライバ１５０に渡される。
【０１３６】
デジタル複合複写機対応プリンタ・ドライバ１５０では、コンテンツ管理プログラム１１０から渡された印刷コンテンツ・データ１００５および書込みコンテンツ・データ１０１３を基に、デジタル複合複写機３０に固有のコマンド群からなる印刷ジョブ１０１４が構築され、コンテンツ管理プログラム１１０に渡される。印刷ジョブ１０１４は、ネットワーク・インタフェース１００、さらにネットワーク５０を介して、デジタル複合複写機３０に送信される（ステップＳ１５）。
【０１３７】
デジタル複合複写機３０は、ネットワーク・インタフェース３００を介して印刷ジョブ１０１４を印刷ジョブ・インタプリタ３５０に渡す。印刷ジョブ・インタプリタ３５０は、印刷ジョブ１０１４を構成するデジタル複合複写機３０に固有のコマンドを順次に解釈し、画像入出力機器に依存しない一般的な赤色、緑色、および青色といった基本色で表現されている、ページ単位の印刷画像データに変換する。こうして得られたページ単位の印刷画像データは、印刷プロセス画像処理部３６０に渡される。
【０１３８】
印刷プロセス画像処理部３６０は、ページ単位の印刷画像データに色空間変換、ガンマ補正、解像度変換、減色処理等の各種画像処理を施して、最終的に電子ペーパ７０に印刷される印刷画像データ１０１６を生成する。この印刷画像データ１０１６は、印刷部３７０に具備されているインクあるいはトナーに対応した、例えば水色、赤紫色、黄色、および黒色といった印刷用の基本色で表現されている。
【０１３９】
上述のように印刷ジョブ１０１４を基にして印刷画像データ１０１６を生成するのと並行して、電子ペーパ７０が印刷用紙スタッカ（図示せず）から印刷部３７０に供給される。その途中で、電子ペーパ７０に付加されたＩＣタグ７１には、原稿ＩＣタグ・リーダ３１０によって特定の電波が照射され、そのＩＣタグ７１から電子ペーパＩＤ１０１５（値＃５１９７１）が読み出される。この読み出された電子ペーパＩＤ１０１５は、ネットワーク・インタフェース３００、さらにネットワーク５０を介して、コンテンツ管理サーバ１０に送信される（ステップＳ１６）。
【０１４０】
電子ペーパ７０が印刷用紙スタッカから印刷部３７０に供給されると、印刷画像データ１０１６は印刷部３７０に渡され、電子ペーパ７０上に印刷される（ステップＳ１７）。
【０１４１】
コンテンツ管理サーバ１０では、電子ペーパＩＤ１０１５（値＃５１９７１）がネットワーク・インタフェース１００を介してコンテンツ管理プログラム１１０に渡される。コンテンツ管理プログラム１１０はコンテンツ管理テーブル１２０を用いて電子ペーパ７０に係わる情報を管理・蓄積する。
【０１４２】
具体的には、図１０に示す。図１０は、電子ペーパ７０の印刷出力後のコンテンツ管理テーブル１２０の内容を表わす図である。
【０１４３】
コンテンツ管理プログラム１１０に渡された電子ペーパＩＤ１０１５（値＃５１９７１）を基に、コンテンツ管理テーブル１２０上では、この電子ペーパＩＤ１０１５（値＃５１９７１）に対する新しいレコードが作成される。
【０１４４】
電子ペーパＩＤ１０１５（値＃５１９７１）に対する新しいレコードには、関連コンテンツ数として値２、第１コンテンツＩＤとして値＃００１８、第２コンテンツＩＤとして値＃００４３がそれぞれ初期値として設定される。このことは、電子ペーパＩＤ１０１５（値＃５１９７１）が付加された電子ペーパ７０には、印刷コンテンツ・データ１００５および手書きの書込みコンテンツ・データ１０１３が重畳された状態で印刷されていることを意味する。
【０１４５】
以上説明してきたように、本発明の実施の形態に係る印刷物管理システムでは、手書きによる書込み情報が加えられた印刷物である電子ペーパ６０ｂから書込み情報が分離・抽出され、電子データ化されて得られた書込みコンテンツ・データ１０１３が電子ペーパＩＤ１００６（値＃３４０８２）に関連付けられた状態で、書込みコンテンツ・データ１０１３に追加する形態でコンテンツ管理サーバ１０によって管理・蓄積される。
【０１４６】
加えて、管理・蓄積された印刷コンテンツ・データ１００５および書込みコンテンツ・データ１０１３がコンテンツ管理テーブル１２０から取り出され、これらのデータを基に印刷ジョブ１０１４が構築され、この印刷ジョブ１０１４を基にデジタル複合複写機３０によって印刷物である電子ペーパ７０が出力される。
【０１４７】
さらに、被画像読み取り原稿である電子ペーパ６０ｂに記録された印刷画像データを光学的に読み取るのに先行して、その電子ペーパ６０ｂに付加された電子ペーパＩＤ１００６（値＃３４０８２）が原稿ＩＣタグ・リーダ３１によって読み出され、その電子ペーパＩＤ１００６は、スキャン画像データ１０１２に先行してコンテンツ管理サーバ１０に送信される。コンテンツ管理サーバ１０内では、印刷コンテンツ・データ１００５の選択・特定が行われ、印刷コンテンツ・データ１００５を基にして参照スキャン画像データ１０１１の生成が行なわれる。
【０１４８】
本発明は、上述した実施の形態の機能を実現するソフトウェアのプログラム（図６及び図８のフローチャート）をコンピュータ又はＣＰＵに供給し、そのコンピュータ又はＣＰＵが該供給されたプログラムを読出して実行することによって、達成することができる。
【０１４９】
この場合、上記プログラムは、該プログラムを記録した記憶媒体から直接に供給されるか、又はインターネット、商用ネットワーク、若しくはローカルエリアネットワーク等に接続される不図示の他のコンピュータやデータベース等からダウンロードすることにより供給される。
【０１５０】
上記プログラムの形態は、オブジェクトコード、インタプリタにより実行されるプログラムコード、ＯＳ（オペレーティングシステム）に供給されるスクリプトデータ等の形態から成ってもよい。
【０１５１】
また、本発明は、上述した実施の形態の機能を実現するソフトウェアのプログラムを記憶した記憶媒体をコンピュータ又はＣＰＵに供給し、そのコンピュータ又はＣＰＵが記憶媒体に記憶されたプログラムを読出して実行することによっても、達成することができる。
【０１５２】
この場合、格納媒体から読出されたプログラムコード自体が上述した各実施の形態の機能を実現すると共に、そのプログラムコードを記憶した記憶媒体は本発明を構成する。
【０１５３】
プログラムコードを記憶する記憶媒体としては、例えば、ＲＯＭ、ＲＡＭ、ＮＶ−ＲＡＭ、フロッピー（登録商標）ディスク、ハードディスク、光ディスク（登録商標）、光磁気ディスク、ＣＤ−ＲＯＭ、ＭＯ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード等がある。
【０１５４】
上述した実施の形態の機能は、コンピュータから読み出されたプログラムコードを実行することによるばかりでなく、コンピュータ上で稼動するＯＳ等がプログラムコードの指示に基づいて実際の処理の一部又は全部を行うことによっても実現することができる。
【０１５５】
更に、本発明は、上述した実施の形態を実現するソフトウェアのプログラムがネットワーク上のデータベース又はホームページから通信プログラムによりダウンロードされ、このプログラムを読出して実行することによって達成することができる。
【０１５６】
上記プログラムは、クライアントコンピュータのブラウザを用いてインターネットのホームページに接続し、該ホームページからコンピュータプログラム自体、又は自動インストール機能を含む圧縮ファイルをハードディスク等の記憶媒体にダウンロードすることによっても供給することができる。
【０１５７】
また、上記プログラムは、プログラムコードを暗号化した上で格納したＣＤ−ＲＯＭ等の記憶媒体をユーザに配布し、所定の条件をクリアしたユーザに対し、インターネットを介してホームページから暗号化を解く鍵情報をダウンロードさせ、その鍵情報を使用することにより暗号化されたプログラムコードを実行してコンピュータにインストールさせることによっても供給することができる。
【０１５８】
上述した実施の形態の機能は、プログラムコードを複数のファイルに分割し、夫々のファイルを異なるホームページからダウンロードすることによっても実現することができる。即ち、本発明の機能処理をコンピュータで実現させるためのプログラムファイルを複数のユーザに対してダウンロードさせるＷＷＷサーバも、本発明を構成する。
【０１５９】
また、上述した実施の形態の機能は、記憶媒体から読出されたプログラムが、コンピュータに挿入された機能拡張ボード又はコンピュータに接続された機能拡張ユニットに備えられたメモリに書込まれた後、そのプログラムの指示に基づき、その機能拡張ボード又は機能拡張ユニットに備えられたＣＰＵ又はＭＰＵ等が実際の処理の一部又は全部を実行することによっても実現することができる。
【０１６０】
本発明の実施態様の例を以下に列挙する。
【０１６１】
〔実施態様１〕  固有の印刷物ＩＤを有する印刷物に記録された印刷コンテンツ・データを管理するコンテンツ管理サーバと、前記印刷物からの画像の読取り及び前記印刷物上への画像の形成を行う複合画像形成装置とをネットワーク上に有し、前記印刷コンテンツ・データを前記印刷物ＩＤに関連付けて管理する印刷物管理システムにおいて、前記コンテンツ管理サーバは、前記印刷コンテンツ・データを基にして印刷画像データを生成する印刷プロセス画像処理手段と、前記印刷画像データから参照スキャン画像データを生成するスキャン・プロセス画像処理手段と、前記複合画像形成装置が前記印刷物から読み取ったのスキャン画像データから前記印刷物に書き込まれた書込みデータを分離し、抽出する書込みデータ抽出手段と、前記書込みデータをベクタ・グラフィックス形式の描画コマンド群からなる書込みコンテンツ・データに変換するベクトル化手段とを備え、前記書込みコンテンツ・データを前記印刷物ＩＤに関連付けて、前記印刷コンテンツ・データに追加することを特徴とする印刷物管理システム。
【０１６２】
〔実施態様２〕  前記複合画像形成装置において、前記印刷物ＩＤの読取りが、前記スキャン画像データの生成よりも先行して行なわれ、前記読み取った印刷物ＩＤによって特定された印刷画像データを基にした、前記参照スキャン画像データ生成手段による参照スキャン画像データの生成は、遅くとも前記スキャン画像データの生成と同時に行なわれることを特徴とする実施態様１に記載の印刷物管理システム。
【０１６３】
〔実施態様３〕  固有の印刷物ＩＤを有する印刷物に記録された印刷コンテンツ・データを管理するコンテンツ管理サーバと、前記印刷物からの画像の読取り及び前記印刷物上への画像の形成を行う複合画像形成装置とをネットワーク上に有する印刷物管理システムにおける印刷物管理方法において、前記コンテンツ管理サーバにより、前記印刷コンテンツ・データを基にして印刷画像データを生成する印刷プロセス画像処理ステップと、前記印刷画像データから参照スキャン画像データを生成するスキャン・プロセス画像処理ステップと、前記複合画像形成装置によって前記電子ペーパから読み取った画像のスキャン画像データから前記印刷物に書き込まれた書込みデータを分離し、抽出する書込みデータ抽出ステップと、前記書込みデータをベクタ・グラフィックス形式の描画コマンド群からなる書込みコンテンツ・データに変換するベクトル化ステップとを行って、前記書込みコンテンツ・データを前記印刷物ＩＤに関連付けて、前記印刷コンテンツ・データに追加することを特徴とする印刷物管理方法。
【０１６４】
〔実施態様４〕  前記複合画像形成装置における前記印刷物ＩＤの読取りを、前記スキャン画像データの生成よりも先行して行ない、前記読み取った印刷物ＩＤによって特定された印刷画像データを基にする前記参照スキャン画像データ生成ステップによる参照スキャン画像データの生成を遅くとも前記スキャン画像データの生成と同時に行なうことを特徴とする実施態様１に記載の印刷物管理方法。
【０１６５】
〔実施態様５〕  固有の印刷物ＩＤを有する印刷物に記録された印刷コンテンツ・データを管理するコンテンツ管理サーバと、前記印刷物からの画像の読取り及び前記印刷物上への画像の形成を行う複合画像形成装置とをネットワーク上に有する印刷物管理システムにおける印刷物管理プログラムであって、前記コンテンツ管理サーバにより、前記印刷コンテンツ・データを基にして印刷画像データを生成する印刷プロセス画像処理モジュールと、前記印刷画像データから参照スキャン画像データを生成するスキャン・プロセス画像処理モジュールと、前記複合画像形成装置によって前記電子ペーパから読み取った画像のスキャン画像データから前記印刷物に書き込まれた書込みデータを分離し、抽出する書込みデータ抽出モジュールと、前記書込みデータをベクタ・グラフィックス形式の描画コマンド群からなる書込みコンテンツ・データに変換するベクトル化モジュールと、前記書込みコンテンツ・データを前記印刷物ＩＤに関連付けて、前記印刷コンテンツ・データに追加する追加モジュールとをコンピュータに実行させる印刷物管理プログラム。
【０１６６】
〔実施態様６〕    印刷媒体が有する識別情報に対応させて、該印刷媒体に印刷されているコンテンツを管理する管理手段と、印刷媒体に印刷されているコンテンツを読み取るコンテンツ読み取り手段と、印刷媒体が有する識別情報を読み取るＩＤ読み取り手段と、前記コンテンツ読み取り手段と前記ＩＤ読み取り手段による読み取りと、に応じて、前記管理手段により管理されているコンテンツに対する書き込みを判別する判別手段と、を有し、前記管理手段は、前記判別手段により判別された書き込みを前記識別情報に対応させて管理することを特徴とする印刷物管理システム。
【０１６７】
【発明の効果】
以上詳細に説明したように、請求項１記載の印刷物管理システムによれば、手書き等によって書込みデータが加えられた印刷物から書込みデータを分離・抽出し、書込みコンテンツ・データを印刷物ＩＤに関連付けて印刷コンテンツ・データに追加するので、印刷物ＩＤに関連付けて印刷コンテンツ・データと書込みコンテンツ・データとを一元的に管理できる。
【図面の簡単な説明】
【図１】本発明の実施の形態に係る印刷物管理システムの構成を示すブロック図である。
【図２】図１におけるコンテンツ管理サーバ１０の構成を示すブロック図である。
【図３】図１におけるプリンタ２０の構成を示すブロック図である。
【図４】図１におけるデジタル複合複写機３０の構成を示すブロック図である。
【図５】図１におけるクライアント・コンピュータ４０の構成を示すブロック図である。
【図６】図１における電子ペーパ６０ａの印刷出力過程を表わすフローチャートである。
【図７】電子ペーパ６０ａの印刷出力後のコンテンツ管理テーブル１０４の内容を表わす図である。
【図８】図１における電子ペーパ６０ｂのスキャン入力および電子ペーパ７０の印刷出力過程を表わすフローチャートである。
【図９】電子ペーパ６０ｂのスキャン入力後のコンテンツ管理テーブル１２０の内容を表わす図である。
【図１０】電子ペーパ７０の印刷出力後のコンテンツ管理テーブル１２０の内容を表わす図である。
【符号の説明】
１０  コンテンツ管理サーバ
２０  プリンタ
３０  デジタル複合複写機
４０  クライアント・コンピュータ
５０  ネットワーク
６０，７０  電子ペーパ
６０ａ，６０ｂ  電子ペーパ
１００  ネットワーク・インタフェース
１１０  コンテンツ管理プログラム
１２０  コンテンツ管理テーブル
１４０  プリンタ対応印刷プロセス画像処理プログラム
１６０  複写機対応印刷プロセス画像処理プログラム
１７０  複写機対応スキャン・プロセス画像処理プログラム
１８０  書込みデータ抽出プログラム
１９０  ベクトル化プログラム
３１０  原稿ＩＣタグ・リーダ
３２０  画像読み取り部
３３０  スキャン・プロセス画像処理部
３４０  印刷物ＩＣタグ・リーダ
３５０  印刷ジョブ・インタプリタ
３６０  印刷プロセス画像処理部
【図１】
2004302617.tif 000003
【図２】
2004302617.tif 000004
【図３】
2004302617.tif 000005
【図４】
2004302617.tif 000006
【図５】
2004302617.tif 000007
【図６】
2004302617.tif 000008
【図７】
2004302617.tif 000009
【図８】
2004302617.tif 000010
【図９】
2004302617.tif 000011
【図１０】
2004302617.tif 000012